(57)【要約】      （修正有）【課題】脚部の位置が異なる電気給湯器でも、一定のアルミレールを埋設したコンクリート床盤に支障なく設置固定できる台座金具を提供して、設置作業の効率化と、設置コストの低減を図る。【解決手段】略長方形状の基板部１の一方に長手方向の長孔１１を設け、前記長孔先方側に固定用ボルト６を装着する連結部２を設けた台座金具を採用し、台座金具の長孔１１部分にアルミレール３１に装着したボルト３３の軸部を挿通し、ナットの螺合で台座金具を所望位置で固定し、連結部２に電気給湯器の脚部を固定する。【選択図】図６
0003134017.tif 000002
【実用新案登録請求の範囲】
【請求項１】
略長方形状の基板部の一方に長手方向の長孔を設け、前記長孔先方側に固定用ボルト軸を装着できる連結部を設けてなることを特徴とする電気給湯器設置用台座金具。
【請求項２】
金具全体を、周面部と平面部を備えた厚金属板で形成すると共に、平面部の裏面に固定用ボルトの頭部が収納できるように、周面部下縁から適宜高さに平面部を設け、連結部にボルト孔を穿設してなる請求項１記載の電気給湯器設置用台座金具。
【請求項３】
連結部を、固定ボルト用螺孔に形成してなる請求項１記載の電気給湯器設置用台座金具。
【請求項４】
略長方形状の基板部の一方に長手方向の長孔を設け、前記長孔先方側に固定用ボルト軸を備えた連結部を設けてなることを特徴とする電気給湯器設置用台座金具。
【請求項５】
連結部を複数配設してなる請求項１乃至４記載の何れかの電気給湯器設置用台座金具。
【考案の詳細な説明】
【技術分野】
【０００１】
本考案は、夜間電力のように需要ピーク時以外の時間帯の電力の有効利用を図る電気給湯器やエコキュートと称される電気給湯器等を室外に設置する際に使用する台座金具に関するものである。
【背景技術】
【０００２】
重量機器、例えば電気給湯器の室外設置に際しては、機器の安定を図るために、ある程度の面積を備えた床盤が必要であり、当該床盤には、設置機器の脚部に対応した位置にボルト孔を穿設し、機器脚部を床盤にボルトを用いて連結固定している（特許文献１参照：特開２００６−１５３３７８号公報）。
【０００３】
また自動販売機の設置用床盤としては、特許文献２（特開平１１−２３０４９１号公報）に例示されているようにコンクリート基礎ベース上にアルミレールを埋設し、当該レールにボルトを移動自在に装着し、基礎ベース上に突出したボルト軸に設置機器の脚部を固定するようにしている。
【０００４】
【特許文献１】特開２００６−１５３３７８号公報。
【特許文献２】特開平１１−２３０４９１号公報。
【考案の開示】
【考案が解決しようとする課題】
【０００５】
設置対象である電気給湯器は、各製造メーカによって脚部位置が相違するので、特許文献１に開示されている手段では、設置機器ごとに脚部に対応する位置にボルト孔を穿設する必要があり、床盤に汎用性を要求することが出来ないので、作業能率が悪く、当然作業コストも高くなるものである。
【０００６】
また特許文献２に開示されているようなアルミレールを使用した床盤を採用した場合には、床盤は脚部毎独立して装着されることになり（実開平２−１３９２１号公報のエアコン室外機を設置した第２図参照）、エアコン室外機に比較し重量があるので、特許文献１記載のとおり床盤全体が一体化していないと、その安定性並びに耐久性に問題が生ずる。
【０００７】
また例えば電気給湯器の大きさに対応した床盤に、特許文献２記載のアルミレールを複数設けたとしても、脚部の固定位置が相違する電気給湯器に対応することはできない。
【０００８】
そこで本考案は、アルミレールを複数設けた床盤に脚部位置が相違する電気給湯器の設置を可能とする新規な台座金具を提案したものである。
【課題を解決するための手段】
【０００９】
本考案に係る電気給湯器設置用台座金具（請求項１）は、略長方形状の基板部の一方に長手方向の長孔を設け、前記長孔先方側に固定用ボルト軸を装着できる連結部を設けてなることを特徴とするものである。
【００１０】
また本考案に係る電気給湯器設置用台座金具（請求項２）は、特に金具全体を、周面部と平面部を備えた厚金属板で形成すると共に、平面部の裏面に固定用ボルトの頭部が収納できるように、周面部下縁から適宜高さに平面部を設けると共に、連結部にボルト孔を形成して固定用ボルトの組み込みを可能としたものである。
【００１１】
又本考案に係る電気給湯器設置用台座金具（請求項３）は、略長方形状の基板部の一方に長手方向の長孔を設け、前記長孔先方側に固定ボルト用螺孔を備えた連結部を設けてなるもので、連結部に固定用ボルト軸を螺合装着可能としたものである。
【００１２】
更に本考案に係る電気給湯器設置用台座金具（請求項４）は、略長方形状の基板部の一方に長手方向の長孔を設け、前記長孔先方側に固定用ボルト軸を備えた連結部を設けてなることを特徴とするものである。
【００１３】
而してアルミレールを適宜位置に複数設けたコンクリート床盤上に電気給湯器を設置固定するに際して、台座金具の長孔部分にアルミレールに装着したボルトの軸部を挿通し、ナットを螺合して台座金具を所望位置で固定するもので、長孔における固定位置及び基板部の方向を選択することで、連結部位置を任意に設定できる。即ち連結部の位置を電気給湯器の脚部固定位置と一致する箇所とすることができるものである。
【００１４】
そしてこの連結部においては、固定用ボルトの頭部を基板部の下面側に位置させて、ボルト軸を表面に突出させたり、或いはボルト軸を螺合装着したり、更にはボルト軸を溶接などで予め設けるなどして、連結部から固定用ボルト軸を上面に突出させ、電気給湯器の脚部を前記ボルト軸に装着して設置固定するものである。
【考案の効果】
【００１５】
本考案の構成は上記のとおりであるから、配置の異なる脚部を備えた電気給湯器に対しても、アルミレールの位置に関わりなく設置することができるので、アルミレールを備えたコンクリート床盤に汎用性を付与することができ、電気給湯器の設置コストを低下させることができると共に、設置作業能率をも高めるものである。
【考案を実施するための最良の形態】
【００１６】
次に本考案の実施の形態について説明する。実施形態に示した電気給湯器設置用台座金具は、全体が略長方形状の基板部１と、円形連結部２を備えたもので、金具全体は、周面部ａと平面部ｂを備えた厚金属板で形成し、特に縁部分をリブ形状としたものである。
【００１７】
平面部ｂは、周面部ａの下縁より適宜高さ高い位置（後述する固定用ボルトの頭部が収納できるようにしてなる）に設けているものである。
【００１８】
基板部１は、連結部２の方向に長孔１１を設け、連結部２には、前記長孔１１先方側には、固定用ボルトを装着できるボルト孔２１を設けてなるものである。
【００１９】
本考案の金具を使用するコンクリート床盤３は、図３に例示するもので、適宜箇所にアルミレール３１を設けたもので、特に図示例は、既存品を組み合わせで形成したものである。既存品は、コンクリートベース３２に一条のアルミレール３１を設けたもので、アルミレール３１は周知のとおり上面開口溝の下方に拡幅の溝を備え、拡幅溝内にボルト３３の頭部を内置し、表面に突出したボルト軸で所定の部材を固定するようにしたもので、図示例は３個の既存品を、連結板３４を利用して所定の大きさ（一定の規格）としたものである。
【００２０】
前記床盤３は、電気給湯器４の設置ベースとなるもので、電気給湯器４は、一般的に図４に例示するとおり、貯湯タンク４１下面に脚部４２を設け、脚部４２にはボルト固定用溝部４３が設けられている。
【００２１】
而して前記電気給湯器４を適宜箇所に設置されている床盤３上に設置固定するもので、電気給湯器４の脚部４２の数に対応する数の本考案の台座金具を使用し、台座金具の長孔１１部分にアルミレール３１に装着したボルト３３の軸部に挿通し、ナット５を螺合して台座金具を所望位置で固定する。
【００２２】
前記の台座金具の固定に際して、各台座金具の連結部２の位置が、電気給湯器４の脚部４２の位置と合致させて固定するもので、台座金具の固定の前にも予め固定用ボルト６の頭部を平面部ｂの下面側に位置させ、ボルト軸を表面に突出させておく、この固定用ボルト６のボルト軸を電気給湯器４の脚部４２のボルト固定用溝部４３を通し、ナット７を螺合緊締して電気給湯器４を設置固定するものである。
【００２３】
従って、床盤３のアルミレール３１の位置が、電気給湯器４の脚部４２の固定位置と相違しても、本考案の台座金具を使用することで設置固定可能となるものである。
【００２４】
又本考案は、前記の実施形態に限定されるものではなく、金具全体を一枚の厚金属板（ダイキャスト）で形成したり、図８に例示するとおり連結部２ａとして螺孔２２を採用し、ボルト軸８を螺合したり、或いはボルト軸を溶着固定して、固定用ボルト軸を組み込むようにしても良い。
【図面の簡単な説明】
【００２５】
【図１】本考案の実施形態の金具の全体斜視図。
【図２】同連結部の切断面図。
【図３】同使用対象の床盤の説明図。
【図４】同使用対象の電気給湯器の説明図。
【図５】同使用状態を示す説明図（金具の装着）。
【図６】同使用状態を示す説明図（電気給湯器の設置の斜視図）。
【図７】同図（断面図）。
【図８】同台座金具の別例図。
【符号の説明】
【００２６】
１        基板部
１１      長孔
２，２ａ  連結部
２１      ボルト孔
２２      螺孔
３        コンクリート床盤
３１      アルミレール
３２      コンクリートベース
３３      ボルト
３４      連結板
４        電気給湯器
４１      貯湯タンク
４２      脚部
４３      ボルト固定用溝部
５，７    ナット
６        固定用ボルト
８        ボルト軸
【図１】
0003134017.tif 000003
【図２】
0003134017.tif 000004
【図３】
0003134017.tif 000005
【図４】
0003134017.tif 000006
【図５】
0003134017.tif 000007
【図６】
0003134017.tif 000008
【図７】
0003134017.tif 000009
【図８】
0003134017.tif 000010